(57)【要約】【課題】フルカラー表示可能な発光表示装置の優れたアイキャッチ効果を維持しつつ、製造コストのコストダウンを図った表示装置を提供する。【解決手段】発光表示装置１は、発光表示部３に複数配置される発光ダイオード２の点灯により、少なくとも文字をドット表示するにあたり、発光表示部３の表示ドットをフルカラー表示が可能な発光ダイオード２で構成するとともに、フルカラー表示する文字を予め特定し、該特定文字領域内のみに複数の発光ダイオード２を配置し、これらの発光ダイオード２の点灯により、特定文字のフルカラー表示を行う構成とした。【選択図】図１
2007322802.tif 000002
【特許請求の範囲】
【請求項１】
表示基板に複数配置される発光ダイオードの点灯により、少なくとも文字をドット表示する発光表示装置において、
表示する文字を予め特定し、表示基板の特定文字領域内のみに複数の発光ダイオードを配置し、これらの発光ダイオードの点灯により、特定文字の表示を行うと共に、表示基板の空き領域に、表示基板の表示を制御するための制御部を実装し、表示基板を制御基板に兼用したことを特徴とする発光表示装置。
【請求項２】
前記表示基板は、複数枚からなり、これら複数枚のうちの一枚に制御部を実装し、該制御部が全ての表示基板の表示を制御することを特徴とする請求項１記載の発光表示装置。
【請求項３】
前記表示基板は、フルカラーの文字表示を行うことを特徴とする請求項１又は２記載の発光表示装置。
【請求項４】
前記表示基板の一表示ドットは、赤色発光ダイオード、青色発光ダイオード及び緑色発光ダイオードを組み合せて構成されることを特徴とする請求項３記載の発光表示装置。
【請求項５】
前記制御部は、表示基板における特定文字の表示パターンを複数備え、これらの表示パターンを選択的に切換可能に表示することを特徴とする請求項１乃至４の何れか一つに記載の発光表示装置。
【発明の詳細な説明】
【技術分野】
【０００１】
本発明は、表示基板に複数配置される発光ダイオードの点灯により、少なくとも文字をドット表示する発光表示装置に関し、特に、店舗の店頭等に宣伝目的で設置される店舗用の発光表示装置に関する。
【背景技術】
【０００２】
表示基板に複数配置される発光ダイオードの点灯により、文字等をドット表示する発光表示装置が知られている。特に、店舗の店頭等に宣伝目的で設置される店舗用の発光表示装置が広く普及している（例えば、特許文献１参照）。この種の発光表示装置は、一文字を表示するｎ×ｎドットのマトリクス発光表示パネルを一単位とし、これを縦方向及び／又は横方向に複数並設して表示基板を構成している。例えば、図３に示す発光表示装置１００は、漢字表示に必要な最小ドット構成である１２×１２ドットを一単位として、これを縦方向に三段並べて表示基板１０１を構成し、三文字の発光表示が可能となっている。つまり、表示基板１０１には、縦３６個×横１２個＝４３２個の発光ダイオード１０２がマトリクス状に配置され、これらの発光ダイオード１０２を選択的に点灯させることにより、任意の文字列、例えば「営業中」という文字列を発光表示することができるようになっている。因みに、表示基板１０１には、後述する制御部１０５からの駆動指令信号に応じて発光ダイオード１０２を発光駆動させるＬＥＤ駆動部１０６が備えられている。
【０００３】
また、発光表示装置は、複数の発光ダイオードを点灯制御するための制御基板１０３を備えている。例えば、図４に示す発光表示装置１００の制御基板１０３は、表示制御プログラム、表示パターン、表示データ等を記憶する記憶部１０４（メモリ等）と、記憶部１０４に記憶された表示制御プログラム、表示パターン、表示データ等にもとづいて、発光ダイオード１０２の駆動指令信号をＬＥＤ駆動部１０６に出力する制御部１０５（ＣＰＵ、制御用ＩＣ等）とを備えて構成されている。因みに、図３において、１０７は電源用ＩＣ、１０８はコンデンサ、１０９は表示基板１０１側に配置されるコネクタ、１１０は制御基板１０３側に配置されるコネクタ、１１１は前記コネクタ１０９とコネクタ１１０とを電気的に繋ぐ配線である。
【特許文献１】特開２００５−２３４０７６号公報
【発明の開示】
【発明が解決しようとする課題】
【０００４】
近年、フルカラー表示が可能な店舗用の発光表示装置が増えてきている。この種のフルカラー発光表示装置では、単色発光表示装置、モノトーン発光表示装置（単色発光ダイオードを階調制御する発光表示装置）、多色発光表示装置等に比べ、優れたアイキャッチ効果が得られる反面、大幅なコスト高になるという問題がある。つまり、フルカラー発光ダイオードは、単色発光ダイオードや多色発光ダイオードに比して高価であるため、表示基板の表示ドット数に比例して部品コストが上昇してしまう。
【０００５】
また、表示基板の一表示ドットを、フルカラー発光ダイオードで構成することなく、赤色発光ダイオード、青色発光ダイオード及び緑色発光ダイオードの組み合せで構成し、これらの階調制御によりフルカラー表示を行うことも可能である。この場合、一表示ドット当たりの輝度が高められるので、アイキャッチ効果が一層向上するという利点もあるが、発光ダイオードの必要個数が３倍になる上、青色発光ダイオードが未だ高価であることから、大幅なコスト高を回避することは困難である。さらに、表示基板には、発光ダイオードが縦横マトリクス状に配置され、残りのスペースにＬＥＤ駆動部とコネクタとを配置しているが、これらの部材に加えて制御部、記憶部等の部材を配置するスペースを確保することは難しいため、制御基板を表示基板と別に設ける必要があり、これによっても、コスト高となっているといった問題がある。
【課題を解決するための手段】
【０００６】
上記の如き実情に鑑みこれらの課題を解決することを目的として創作された本発明の発光表示装置は、請求項１に記載するように、表示基板に複数配置される発光ダイオードの点灯により、少なくとも文字をドット表示する発光表示装置において、表示する文字を予め特定し、表示基板の特定文字領域内のみに複数の発光ダイオードを配置し、これらの発光ダイオードの点灯により、特定文字の表示を行うと共に、表示基板の空き領域に、表示基板の表示を制御するための制御部を実装し、表示基板を制御基板に兼用したことを特徴とする。
また、本発明の発光表示装置は、請求項２に記載するように、前記表示基板は、複数枚からなり、これら複数枚のうちの一枚に制御部を実装し、該制御部が全ての表示基板の表示を制御することを特徴とする。
また、本発明の発光表示装置は、請求項３に記載するように、前記表示基板は、フルカラーの文字表示を行うことを特徴とする。
また、本発明の発光表示装置は、請求項４に記載するように、前記表示基板の一表示ドットは、赤色発光ダイオード、青色発光ダイオード及び緑色発光ダイオードを組み合せて構成されることを特徴とする。
また、本発明の発光表示装置は、請求項５に記載するように、前記制御部は、表示基板における特定文字の表示パターンを複数備え、これらの表示パターンを選択的に切換可能に表示することを特徴とする。
【発明の効果】
【０００７】
請求項１の発明とすることにより、発光ダイオードの必要個数を減らし、大幅なコストダウンが図れる。つまり、従来のマトリクス発光表示装置であっても、常に全ての発光ダイオードを点灯させる訳ではなく、特に、特定の文字を継続して発光表示する場合は、その文字の認識を容易にするために、文字領域部分のみの発光ダイオードを点灯した状態で使用される。例えば、図３に示すように、「営業中」という文字を１２×１２ドット用のフォントで表示する場合、点灯している発光ダイオードの個数は、１６４個であり、発光ダイオードの総数（４３２個）の約３８パーセントに過ぎない。本発明は、この点に着目して創作されたものであり、フルカラー表示する文字を予め特定し、該特定文字領域内のみに複数の発光ダイオードを配置し、これらの発光ダイオードの点灯により、特定文字のフルカラー表示を行うことで、特定文字領域外の発光ダイオードを不要にし、フルカラー発光表示装置の飛躍的なコストダウンを可能にする。しかも、表示基板の空き領域に制御部を実装することにより、表示基板を制御基板に兼用したので、従来のように専用の制御基板を設ける必要が無くなり、これによっても発光表示装置のコストダウンが図れる。
請求項２の発明とすることにより、複数の表示基板にそれぞれ制御部を実装する場合に比べて、コストダウンを図ることができるだけでなく、表示基板を容易に増設することができる。
請求項３の発明とすることにより、フルカラーの文字表示を行うことができるので、アイキャッチ効果を高めることができる。
また、請求項４の発明とすることにより、一表示ドット当たりの輝度を高め、アイキャッチ効果を一層向上させることができる。この場合、発光ダイオードの必要個数は３倍となるが、本発明の発光表示装置によれば、特定文字領域内のみに発光ダイオードを配置しているので、発光ダイオードの増加を最小限に抑えることができる。
また、請求項５の発明とすることにより、アイキャッチ効果をさらに高めることができ、業種に合わせた表示パターンを選択することにより、さらに効果の高い表示とすることができる。
【発明を実施するための最良の形態】
【０００８】
次に、本発明の実施の形態について、図面に基づいて説明する。図１、２において、１は発光表示装置であって、該発光表示装置１は、複数の発光ダイオード２が配置される表示基板３を備えて構成されている。本実施形態の発光表示装置１は、主に店舗の店頭に宣伝目的で設置される店舗用に最適化されており、フルカラーによる３桁の漢字表示が可能となっている。
【０００９】
また、表示基板３は、フルカラー表示する文字列を予め特定し、該特定文字領域内のみに複数の発光ダイオード２を配置し、これらの発光ダイオード２の点灯により、特定文字のフルカラー表示を行うようになっている。例えば、本実施形態の発光表示装置１は、「営業中」という特定の文字列をフルカラー表示することに特化されており、「営業中」という特定文字領域内のみに複数の発光ダイオード２を配置し、これらの発光ダイオード２を全灯させることにより、「営業中」という文字列のフルカラー表示を行う。
【００１０】
このようにすると、フルカラー表示が可能な発光表示装置１でありながら、発光ダイオード２の必要個数を減らし、大幅なコストダウンが図れる。例えば、本実施形態のように、「営業中」という文字列を１２×１２ドット用のフォントで表示する場合、表示基板３の発光ダイオード２の必要個数は、１６４個であり、１２×１２ドットにマトリクス状に配置する場合に必要な必要個数（４３２個）の約３８パーセントに削減することができる。特に、１２×１２ドット用のフォントを用いることにより、最小限の発光ダイオード数でフルカラーの漢字表示を行うことが可能になる。因みに、本実施の形態では、１２×１２ドット用のフォントで表示する場合について説明するが、フォントは、これに限定されるものでないことはもちろんであり、１１×１１ドット、１６×１６ドット等のフォントを用いることができる。
【００１１】
表示基板３の一表示ドットは、フルカラー発光ダイオードで構成してもよいし、赤色発光ダイオード２Ｒ、青色発光ダイオード２Ｂ及び緑色発光ダイオード２Ｇの組み合せで構成し、これらの階調制御によりフルカラー表示を行うようにしてもよい。赤色発光ダイオード２Ｒ、青色発光ダイオード２Ｂ及び緑色発光ダイオード２Ｇで一表示ドットを構成する場合、一表示ドット当たりの輝度が高められるので、アイキャッチ効果が一層向上するという利点がある反面、発光ダイオード２の必要個数が３倍になるため、コストアップが懸念されるが、従来に比べて発光ダイオード２の必要個数を大幅に削減可能にした本発明の発光表示装置１においては、発光ダイオード２の必要個数が３倍になっても、フルカラー発光ダイオードをマトリクス状に配置した従来品よりも低コストでの提供は可能である。
【００１２】
表示基板３においては、前記特定文字領域を除いた空領域に、表示制御プログラム及び表示パターンを記憶する記憶部５と、記憶部５に記憶された表示制御プログラム及び表示パターンにもとづいて発光ダイオード２の駆動指令信号を出力する制御部６と、制御部６からの駆動指令信号に応じて発光ダイオード２を発光駆動させるＬＥＤ駆動部７とが実装されている。つまり、従来、表示基板３と別部材の制御基板に備えられていた部材を、表示基板３に備えることになって、表示基板３を前記制御基板に兼用することができる構成になっている。
【００１３】
本実施の形態の記憶部５と制御部６とは、前記空領域のうち、特定文字領域にのみ発光ダイオード２を配置したことにより生じるスペース、つまり、従来の構成では発光ダイオード２を縦横マトリクス状に配置するため備えることができなかったスペースを利用して実装することが好ましい。このようにすると、表示基板３を大型化することなく、表示基板３を制御基板に兼用することができる。図面において、８は電源用ＩＣ、９はコンデンサであり、何れも表示基板３の空領域に備えられている。
【００１４】
さらに、発光表示装置１は、複数の表示基板３からなっており、本実施の形態の表示基板３は、発光表示装置１の表側に配置される表側表示基板３ａと、裏側に配置される裏側表示基板３ｂとを有している。そして記憶部５、制御部６、電源用ＩＣ８、コンデンサ９は、表側表示基板３ａのみに実装されており、表側表示基板３ａと裏側表示基板３ｂとの表示制御に兼用されるようになっている。つまり、裏側表示基板３ｂは、図面に示すようにコネクタ１０、１１、配線１２を介して表側表示基板３ａに電気的に繋がれることにより、表側表示基板３ａに実装される制御部６によって表示制御されるようになっており、後述する表示パターンも、表側表示基板３ａと裏側表示基板３ｂとで連動するように表示させることができる。
【００１５】
本実施形態の発光表示装置１では、記憶部５に複数の表示パターンを記憶することができ、リモコン操作等により前記表示パターンから選択した表示パターンで前記の特定文字を表示させることができる。前記選択は、単一な選択に限られず、複数選択することもできる。前記表示パターンとしては、例えば、炎表示パターン、虹色表示パターン、床屋表示パターンが考えられ、炎表示パターンは、赤色を基本とし、その周りを黄色で配色した配色割合を変化させて炎のように表示するものであり、虹色表示パターンは、色彩をスクロール状に少しずつ変化させて虹色状に表示するものであり、床屋表示パターンは、赤色、白色、青色の順に斜めに配色し、これをスクロールさせて表示するものである。そして、これらのうち、一つを選択した場合、選択した表示パターンにより連続的に表示されるが、複数選択した場合は、選択した表示パターンを、所定時間経過する度に自動的に切換える設定や、所定時刻になると自動的に切換えられる設定等が考えられる。また、表示のスクロール速度、切換速度、表示の明るさ（輝度）は、適宜変更することができる。ところで、本実施の形態では、縦１２×横１２ドットを配置可能な表示基板を、縦に３枚配した構成になっており、前記表示基板に発光ダイオード２をフルドット配置した状態で表示可能な従来の表示パターンをそのまま使用することができるため、特定した文字列に対応した専用の表示パターンを作成する必要がない。
【００１６】
叙述の如く構成された本発明の実施の形態において、発光表示装置１は、表示基板３に複数配置される発光ダイオード２の点灯により、少なくとも文字をドット表示するにあたり、表示する文字を予め特定し、該特定文字領域内のみに複数の発光ダイオード２を配置し、これらの発光ダイオード２の点灯により、特定文字の表示を行うと共に、表示基板３を、該表示基板３の表示を制御するための制御基板に兼用したので、発光ダイオード２の必要個数を減らすことができる上、従来のように表示基板３の他に制御基板を設ける必要が無くなり、発光表示装置１の大幅なコストダウンが図れる。また、記憶部５、制御部６は、制御素子の処理能力を低いものとしたり、記憶素子を少量にすることができる。
【００１７】
表示基板３は、複数枚からなり、これら複数枚のうちの一枚に備えられた制御部６が全ての表示基板３の表示を制御するので、表側表示基板３ａと裏側表示基板３ｂとの表示を容易に表示することができる。さらに、このようにすることによって表示基板３を容易に増設することができる。
発光ダイオード２は、フルカラー表示を行うことができるので、アイキャッチ効果を高めることができる。
【００１８】
また、本実施形態の発光表示装置１では、表示基板３の一表示ドットを、赤色発光ダイオード、青色発光ダイオード及び緑色発光ダイオードの組み合せで構成しているので、一表示ドット当たりの輝度を高め、アイキャッチ効果を一層向上させることができる。この場合、発光ダイオード２の必要個数は３倍となるが、本発明の発光表示装置１によれば、特定文字領域内のみに発光ダイオード２を配置しているので、発光ダイオード２の増加を最小限に抑えることができる。
【００１９】
また、本実施形態の発光表示装置１では、制御部６は、表示基板３に表示パターンを、選択切換可能に表示するので、アイキャッチ効果をさらに高めることができ、例えば、床屋表示パターンのように、特定の業種に使用すると特に効果の高い表示とすることができる。
【図面の簡単な説明】
【００２０】
【図１】本発明の実施形態に係る発光表示装置の表示基板を示す展開正面図である。
【図２】本発明の実施形態に係る発光表示装置の制御システムを示すブロック図である。
【図３】従来例に係る発光表示装置の表示基板を示す展開正面図である。
【図４】従来例に係る発光表示装置の制御システムを示すブロック図である。
【符号の説明】
【００２１】
１      発光表示装置
２      発光ダイオード
２Ｒ    赤色発光ダイオード
２Ｂ    青色発光ダイオード
２Ｇ    緑色発光ダイオード
３      表示基板
３ａ    表側表示基板
３ｂ    裏側表示基板
５      記憶部
６      制御部
７      ＬＥＤ駆動部
【図１】
2007322802.tif 000003
【図２】
2007322802.tif 000004
【図３】
2007322802.tif 000005
【図４】
2007322802.tif 000006